(57)【要約】【課題】シールエンド型の蓋部を有し、通常の開封操作以外に特別な操作を行わなくても、開封済みであることが明確に表示される包装箱を提供する。【解決手段】箱体形成片１２から成り、順に連接された４つの側面板１４，１６，１８，２０により筒体を形成する。第一の側面板１４の、連接方向に対して直角方向の一端部に内蓋片３２が延設される。第二の側面板１８の内蓋片３２側の端部に、外蓋片５２が外蓋折罫線５４で区切られて延設される。第二の側面板１８の外蓋片５２側の端部に、外蓋折罫線５４と開封用破断線５６とで囲まれた押圧部５８を備える。外蓋片５２は、開封用破断線５６の左右の端部を起点として外蓋片５２の左右の側端に達する一対の補助破断線６０によって、本体部５２ａと両端角部５２ｂとに区切られる。破断線５６，６０を破断させて開封すると、両端角部５２ｂが外蓋折罫線５４の曲げの反発力によって立ち上がる。【選択図】図２
0003217753.tif 000002
【実用新案登録請求の範囲】
【請求項１】
一枚の箱体形成片から成り、前記箱体形成片は、
互いに平行に連接された複数の側面板を有し、前記複数の側面板の中の１つである第一の側面板の、前記連接方向に対して直角方向の一端部に、内蓋片が延設され、
前記複数の側面板の中の１つである第二の側面板の、前記内蓋片側の端部に、外蓋片が外蓋折罫線で区切られて延設され、
前記第二の側面板の、前記外蓋片側の端部に、前記外蓋折罫線と開封用破断線とで囲まれた押圧部が設けられ、
前記外蓋片は、前記開封用破断線の左右の端部を起点として前記外蓋片の左右の側端に達する一対の補助破断線によって、本体部と両端角部とに区切られ、
組み立て状態で、前記複数の側面板が筒体を形成し、前記第一の側面板が前記第二の側面板に対向し、前記内蓋片を倒した外側に前記外蓋片が重なり、前記本体部が前記内蓋片に糊付されて前記筒体の端部を閉鎖する蓋部を形成し、
使用者が前記押圧部を押し込んで前記開封用破断線を破断させ、前記外蓋片の本体部を引き起こして前記補助破断線を破断させることによって前記蓋部が開封され、前記蓋部が開封されると、前記外蓋片から分離した前記両端角部が前記外蓋折罫線の曲げの反発力によって立ち上がることを特徴とする包装箱。
【請求項２】
前記箱体形成片には、前記蓋部が開封された後、前記外蓋片の本体部、前記内蓋片又は前記押圧部を保持することによって前記筒体の端部を閉鎖状態にする再封機構が設けられている請求項１記載の包装箱
【請求項３】
組み立て状態で、前記外蓋片の前記両端角部が前記内蓋片の外側に重なり、
前記内蓋片の、前記外蓋片の両端角部に重なる領域の外面が、前記外蓋片の両端角部の外面と異なる色に彩色されている請求項１又は２記載の包装箱。
【請求項４】
前記筒体の一端部にサイドフラップが設けられ、
組み立て状態で、前記サイドフラップは、前記内蓋片の内側に配置され、前記外蓋片の前記両端角部は、前記内蓋片と重ならずに前記サイドフラップに重なり、
前記サイドフラップの、前記外蓋片の両端角部に重なる領域の外面が、前記外蓋片の両端角部の外面と異なる色に彩色されている請求項１又は２記載の包装箱。
【考案の詳細な説明】
【技術分野】
【０００１】
本考案は、筒体の端部を閉鎖するシールエンド型の蓋部を備えた包装箱に関し、特に、開封済みであることを表示する機能を備えた包装箱に関する。
【背景技術】
【０００２】
包装箱の一形態として、複数の側面板で形成された筒体の一端部に外蓋片と内蓋片とが延設され、内蓋片を倒した外側に前記外蓋片が重ねられ、内蓋片と外蓋片とが互いに糊付されてシールエンド型の蓋部が形成される包装箱があり、医薬品等の包装に広く使用されている。
【０００３】
病院や調剤薬局等の医療機関では、医薬品を保管棚で保管する時、包装箱に入った医薬品を、種類ごとに並べたり複数段に積み重ねたりして保管されることが多いが、開封済みの包装箱と未開封の包装箱は外観がほぼ同じなので、どの包装箱が開封済みなのか容易に見分けることができない。そこで、従来から、開封済みであること表示する機能を備えた包装箱が提案されている。
【０００４】
例えば、特許文献１に開示されているように、外蓋片（天面外蓋）と内蓋片（天面内蓋）とで成るシールエンド型の蓋部と、内蓋片の内側に重なるサイドフラップとを備え、サイドフラップは、折罫線で側面板と区切られ、サイドフラップに、前記折罫線とＵ字状破断線とで囲まれた延長表示部が設けられた包装用箱があった。延長表示部には開封済みを意味する表示がされており、開封前の組み立て状態では、延長表示部は外蓋片及び内蓋片の内側にあって外から視認できない。開封された後、使用者がＵ字状破断線を破断させて延長表示部をサイドフラップから引き上げ、延長表示部は箱体の外に引き出した状態でサイドフラップを折り戻し、外蓋片及び内蓋片を倒して再封すると、延長表示部の表示が外から視認できる状態になる。
【先行技術文献】
【特許文献】
【０００５】
【特許文献１】実用新案登録第３１９４８３４号公報
【考案の概要】
【考案が解決しようとする課題】
【０００６】
しかし、特許文献１の包装用箱は、蓋部を開封した後、延長表示部が外から視認できるようにするために、使用者がＵ字状破断線を破断させて延長表示部をサイドフラップから引き上げる特別な操作が必要になるので、非常に手間が掛かる。
【０００７】
本考案は、上記背景技術に鑑みて成されたものであり、シールエンド型の蓋部を有し、通常の開封操作以外に特別な操作を行わなくても、開封済みであることが明確に表示される包装箱を提供することを目的とする。
【課題を解決するための手段】
【０００８】
本考案は、一枚の箱体形成片から成り、前記箱体形成片は、互いに平行に連接された複数の側面板を有し、前記複数の側面板の中の１つである第一の側面板の、前記連接方向に対して直角方向の一端部に、内蓋片が延設され、前記複数の側面板の中の１つである第二の側面板の、前記内蓋片側の端部に、外蓋片が外蓋折罫線で区切られて延設され、前記第二の側面板の、前記外蓋片側の端部に、前記外蓋折罫線と開封用破断線とで囲まれた押圧部が設けられ、前記外蓋片は、前記開封用破断線の左右の端部を起点として前記外蓋片の左右の側端に達する一対の補助破断線によって、本体部と両端角部とに区切られ、
組み立て状態で、前記複数の側面板が筒体を形成し、前記第一の側面板が前記第二の側面板に対向し、前記内蓋片を倒した外側に前記外蓋片が重なり、前記本体部が前記内蓋片に糊付されて前記筒体の端部を閉鎖する蓋部を形成し、
使用者が前記押圧部を押し込んで前記開封用破断線を破断させ、前記外蓋片の本体部を引き起こして前記補助破断線を破断させることによって前記蓋部が開封され、前記蓋部が開封されると、前記外蓋片から分離した前記両端角部が前記外蓋折罫線の曲げの反発力によって立ち上がる包装箱である。
【０００９】
前記箱体形成片には、前記蓋部が開封された後、前記外蓋片の本体部、前記内蓋片又は前記押圧部を保持することによって前記筒体の端部を閉鎖状態にする再封機構が設けられている。
【００１０】
組み立て状態で、前記外蓋片の前記両端角部が前記内蓋片の外側に重なり、前記内蓋片の、前記外蓋片の両端角部に重なる領域の外面が、前記外蓋片の両端角部の外面と異なる色に彩色されている構成にすることが好ましい。あるいは、前記筒体の一端部にサイドフラップが設けられ、組み立て状態で、前記サイドフラップは、前記内蓋片の内側に配置され、前記外蓋片の前記両端角部は、前記内蓋片と重ならずに前記サイドフラップに重なり、前記サイドフラップの、前記外蓋片の両端角部に重なる領域の外面が、前記外蓋片の両端角部の外面と異なる色に彩色されている構成にすることが好ましい。
【考案の効果】
【００１１】
本考案の包装箱は、簡単な構造で組み立て易く、開封の操作も容易である。また、開封後、特別な操作を行わなくても開封済みであることが自動的に表示され、収容物が入った包装箱を並べたり積み重ねたりして保管された場合でも、どの包装箱が開封済みなのかを容易に見分けることができる。
【図面の簡単な説明】
【００１２】
【図１】本考案の包装箱の第一の実施形態の組み立て状態を示す斜視図である。
【図２】第一の実施形態の包装箱を形成する箱体形成片を表面側から見た展開図である。
【図３】図２の箱体形成片を組み立てる工程を示す斜視図（ａ）、（ｂ）である。
【図４】第一の実施形態の包装箱の開封状態を示す斜視図である。
【図５】第一の実施形態の包装箱の再封状態を示す斜視図（ａ）、外蓋片及び押圧部を透視した斜視図（ｂ）、保管棚に並べて保管される様子を示す正面図（ｃ）である。
【図６】図２の箱体形成片の彩色を示す展開図（ａ）、第一の実施形態の包装箱が保管棚に積み重ねて保管される様子を示す正面図（ｃ）である。
【図７】本考案の包装箱の第二の実施形態の組み立て状態を示す斜視図である。
【図８】第二の実施形態の包装箱を形成する箱体形成片を表面側から見た展開図である。
【図９】図８の箱体形成片を組み立てる工程を示す斜視図（ａ）、（ｂ）である。
【図１０】第二の実施形態の包装箱の開封状態を示す斜視図である。
【図１１】第二の実施形態の包装箱の再封状態を示す斜視図（ａ）、外蓋片及び押圧部を透視した斜視図（ｂ）、保管棚に並べて保管される様子を示す正面図（ｃ）である。
【図１２】図８の箱体形成片の彩色を示す展開図（ａ）、第二の実施形態の包装箱が保管棚に積み重ねて保管される様子を示す正面図（ｃ）である。
【考案を実施するための形態】
【００１３】
以下、本考案の包装箱の第一の実施形態について、図１〜図６に基づいて説明する。この実施形態の包装箱１０は、図１に示すように略直方体の箱体であり、厚紙等で形成された一枚の箱体形成片１２を組み立てることによって形成される。
【００１４】
箱体形成片１２は、図２に示すように、互いに平行に連接された４つの側面板１４，１６，１８，２０を有している。側面板１４，１６，１８，２０は、連接方向と直交する幅方向の長さが同じであり、連接方向の長さは、側面板１４，１８が長くて互いにほぼ等しく、側面板１６，２０が短くて互いにほぼ等しい。側面板１４側の端部には、組み立て状態で側面板２０の端部の裏面に糊付けされる糊付け片２２が設けられている。糊付け片２２と４つの側面板１４，１６，１８，２０は、各々折罫線２４，２６，２８，３０で区切られている。以下、側面板１４を第一の側面板１４と称し、側面板１８を第二の側面板１８と称する。
【００１５】
第一の側面板１４の、連接方向に対して直角方向の一端部には、略矩形の内蓋片３２が延設され、折罫線３４で第一の側面板１４と区切られている。内蓋片３２の延設長さは、側面板１６，２０の連接方向長さとほぼ同じである。内蓋片３２の先端部には、差し込み片３６（再封機構）が延設され、折罫線３８で内蓋片３２と区切られている。差し込み片３６の延設長さは、内蓋片３２の延設長さの約2/5であり、先端側の両角部が丸く面取りされている。
【００１６】
第一の側面板１４の、内蓋片３２と反対側の端部には、略矩形の外底片４０が延設され、折罫線４２で第一の側面板１４と区切られている。外底片４０の延設長さは、側面板１６，２０の連接方向長さとほぼ同じである。
【００１７】
側面板１６の、内蓋片３２側の端部には、台形状のサイドフラップ４４が延設され、折罫線４６で側面板１６と区切られている。サイドフラップ４４の延設長さは、第一及び第二の側面板１４、１８の連接方向長さの約1/2である。側面板１６の、サイドフラップ４４と反対側の端部には、台形状のサイドフラップ４８が延設され、折罫線５０で側面板１６と区切られている。サイドフラップ４８の延設長さは、第一及び第二の側面板１４、１８の連接方向長さの約1/2である。
【００１８】
第二の側面板１８の、サイドフラップ４４側の端部には、略矩形の外蓋片５２が延設され、外蓋折罫線５４で第二の側面板１８と区切られている。外蓋片５２の延設長さは、側面板１６，２０の連接方向長さとほぼ同じである。また、第二の側面板１８の、外蓋片５２側の端部には、外蓋折罫線５４とＵ字状の開封用破断線５６とで囲まれた押圧部５８が設けられ、外蓋片５２に、開封用破断線５６の左右の端部を起点として外蓋片５２の左右の側端に達する補助破断線６０が一対設けられている。そして、この補助破断線６０により、外蓋片５２が本体部５２ａと一対の両端角部５２ｂとに区切られている。ここでは、両端角部５２ｂは略四角形に設けられている。
【００１９】
第二の側面板１８の、外蓋片５２と反対側の端部には、略矩形の内底片６２が延設され、折罫線６４で第二の側面板１８と区切られている。内底片６２の延設長さは、側面板１６，２０の連接方向長さよりも少し短い。
【００２０】
側面板２０の、外蓋片５２側の端部には、サイドフラップ４４とほぼ線対称な形状のサイドフラップ６６が延設され、折罫線６８で側面板２０と区切られている。また、側面板１６の、サイドフラップ６６と反対側の端部には、サイドフラップ４８とほぼ線対称な形状のサイドフラップ７０が延設され、折罫線７２で側面板２０と区切られている。
【００２１】
次に、箱体形成片１２の組み立て方法の一例を説明する。図２は箱体形成片１２を表面側から見たものであり、以下、箱体形成片１２の表面側が凸になる折り方を正折り、裏面側が凸になる折り方を逆折りと称する。
【００２２】
まず、折罫線２６を正折りして第一の側面板１４及び糊付片２２を２つの側面板１６，１８に重ねる。そして、糊付け片２２の表面に糊を塗布した後、折罫線３０を正折りし、側面板２０の裏面の端部を糊付け片２２に糊付けする。箱体形成片１２は、この折り畳み状態で、包装箱１０の製造工場から出荷される。
【００２３】
次に医薬品等の収容物を包装する工場等において、折罫線２４，２６，２８，３０を各々９０度に正折りし、四角形の筒体を形成する。この状態で、第一の側面板１４が第二の側面板１８に対向する。そして、筒体の一端部を塞ぐ底部を設けるため、折罫線５０，７２でサイドフラップ４８，７０を各々９０度に正折りし、折罫線６４で内底片６２を９０度に正折りする。その後、内底片６２の表面に糊を塗布し、折罫線４２で外底片４０を９０度に正折りし、外底片４０の裏面を内底片６２に糊付する。これで、筒体の一端部を閉鎖するシールエンド型の底部ができたので、開放している他端部から収容物を入れる。
【００２４】
収容物を入れると、筒体の他端部を閉鎖する蓋部を設けるため、図３（ａ）に示すように、折罫線４６，６８でサイドフラップ４４，６６を各々９０度に正折りする。そして、折罫線３８を正折りして差し込み片３６を９０度に正折りし、折罫線３４で内蓋片３２を９０度に正折りし、図３（ｂ）に示すように、差し込み片３６を第二の側面板１８とサイドフラップ４４，６６との隙間に差し込んで係止させる。
【００２５】
その後、内蓋片３２の表面に糊を塗布し、折罫線５４で外蓋片５２を９０度に正折りし、外蓋片５２の本体部５２ａの裏面を内蓋片３２に糊付する。これで、シールエンド型の蓋部が形成され、図１に示す組み立て状態になり、この状態で収容物が出荷される。
【００２６】
包装箱１０の蓋部を開封する時は、第二の側面板１８の押圧部５８を指で押し込んでＵ字状の開封用破断線５６を破断させ、外蓋片５２の本体部５２ａと内蓋片３２を摘んで引き上げるようにして補助破断線６０を破断させる。これで図４に示す状態になり、さらにサイドフラップ４４，６６を引き上げると筒体の蓋部が開放し、中の収容物を取り出すことができる。蓋部を開封する操作は従来とほぼ同じであるが、特徴的なのは、この開封操作を行うことによって、外蓋片５２から分離した両端角部５２ａが、外蓋折罫線５４の曲げの反発力によって自動的に立ち上がるという点である。
【００２７】
包装箱１０の中に収容物を戻した後、蓋部を再封する時は、引き上げたサイドフラップ４４，６６を倒して元に戻し、引き上げた外蓋片５２の本体部５２ａ及び内蓋片３２を倒して元に戻し、差し込み片３６を第二の側面板１８とサイドフラップ４４，６６との隙間に差し込んで係止させる。これで図５（ａ）、（ｂ）に示す再封状態になる。
【００２８】
再封状態では、図５（ａ）に示すように、外蓋片５２から分離した両端角部５２ｂが立ち上がり、蓋部の上方に突出する。例えば、包装箱１０に入った医薬品が保管棚ＨＤで保管される場合、図５（ｃ）に示すように立てて並べ置きされると、両端角部５２ｂが開封済み表示となり、どの箱が開封済みなのかを簡単に見分けることができる。
【００２９】
また、図６（ａ）に示すように、内蓋片３２の表面側と外蓋片５２の表面側とを互いに異なる色に彩色したり、文字や記号を表示しておくことにより、開封確認を容易にする。例えば、医薬品が入った包装箱１０が、図６（ｂ）に示すように横に倒して積み重ねて置かれると、外蓋片５２に形成された透孔、すなわち両端角部５２ｂが立ち上がってできた透孔から内蓋片３２が見えるので、この内蓋片３２の色彩等が開封済み表示となり、どの箱が開封済みなのかを簡単に見分けることができる。
【００３０】
以上説明したように、包装箱１０は、簡単な構造で組み立て易く、開封及び再封を容易に行うことができる。また、開封後、特別な操作を行わなくても開封済みであることが自動的に表示され、収容物が入った包装箱１０を並べたり積み重ねたりして保管された場合でも、どの包装箱１０が開封済みなのかを容易に見分けることができる。
【００３１】
次に、本考案の包装箱の第二の実施形態について、図７〜図１２に基づいて説明する。ここで、上記の包装箱１０と同様の構成は、同一の符号を付して説明を省略する。この実施形態の包装箱７４は、図７に示すように、包装箱１０と外形がほぼ同じであり、厚紙等で形成された一枚の箱体形成片７６を組み立てることによって形成される。
【００３２】
箱体形成片７６は、包装箱１０の箱体形成片１２と類似した部分が多く、主な相違点は、内蓋片３２及び差し込み片３６が新規な形状の内蓋片７８に置き換えられている点と、サイドフラップ４４，６６に長穴状のスリット４４ａ，６６ａが設けられている点と、外蓋片５２の両端角部５２ｂの形状が変更されている点である。以下、これらの相違点について、順番に説明する。
【００３３】
第一の側面板１４の、サイドフラップ４４側の端部には、先端部が幅狭になった等脚台形状の内蓋片７８が延設され、折罫線３４で第一の側面板１４と区切られている。内蓋片３２の延設長さは、側面板１６，２０の連接方向長さの約4/5であり、先端側の両端角部に、左右に円弧状に膨出した係合部７８(1)，７８(2)が一対に設けられている。
【００３４】
サイドフラップ４４の、外蓋片５２寄りの位置には、長穴状のスリット４４ａが斜めに形成されている。同様に、サイドフラップ６６の、外蓋片５２寄りの位置には、長穴状のスリット６６ａが斜めに形成されている。サイドフラップ６６及びスリット６６ａの形状は、外蓋片５２を挟んで、サイドフラップ４４及びスリット４４ａの形状とほぼ線対称の関係になっている。包装箱７４の再封機構は、内蓋片７８の係合部７８(1)，７８(2)とスリット４４ａ，６６ａとで構成されている。
【００３５】
第二の側面板１８の一端部に延設された外蓋片５２は、包装箱１０の外蓋片５２と同様に、補助破断線６０によって本体部５２ａと両端角部５２ｂとに区切られている。ただし、包装箱１０の両端角部５２ｂは略四角形であるが、この包装箱７４の両端角部５２ｂは略三角形であり、開封済み表示のデザインが変更されている。
【００３６】
次に、箱体形成片７６の組み立て方法の一例を説明する。図８は箱体形成片７６を表面側から見たものであり、以下、箱体形成片７６の表面側が凸になる折り方を正折り、裏面側が凸になる折り方を逆折りと称する。
【００３７】
まず、折罫線２６を正折りして第一の側面板１４及び糊付片２２を２つの側面板１６，１８に重ねる。そして、糊付け片２２の表面に糊を塗布した後、折罫線３０を正折りし、側面板２０の裏面の端部を糊付け片２２に糊付けする。箱体形成片１２は、この折り畳み状態で、包装箱７４の製造工場から出荷される。
【００３８】
次に医薬品等の収容物を包装する工場等において、折罫線２４，２６，２８，３０を各々９０度に正折りし、四角形の筒体を形成する。この状態で、第一の側面板１４が第二の側面板１８に対向する。そして、筒体の一端部を塞ぐ底部を設けるため、折罫線５０，７２でサイドフラップ４８，７０を各々９０度に正折りし、折罫線６４で内底片６２を９０度に正折りする。その後、内底片６２の表面に糊を塗布し、折罫線４２で外底片４０を９０度に正折りし、外底片４０の裏面を内底片６２に糊付する。これで、筒体の一端部を閉鎖するシールエンド型の底部ができたので、開放している他端部から収容物を入れる。ここまでは、上記の箱体形成片１２の組み立て方法と同様である。
【００３９】
収容物を入れると、筒体の他端部を閉鎖する蓋部を設けるため、図９（ａ）に示すように、折罫線４６，６８でサイドフラップ４４，６６を各々９０度に正折りする。そして、折罫線３４で内蓋片７８を９０度に正折りし、図９（ｂ）に示すように、内蓋片７８をサイドフラップ４４，６６に重ねる。
【００４０】
その後、内蓋片７８の表面の、係合部７８(1)，係合部７８(2)以外の部分に糊を塗布し、折罫線５４で外蓋片５２を９０度に正折りし、外蓋片５２の本体部５２ａの裏面を内蓋片３２に糊付する。このとき、外蓋片５２の両端角部５２ｂは、内蓋片７８とは重ならず、内蓋片７８の内側に配置されたサイドフラップ４４，６６に重なる。これで、シールエンド型の蓋部が形成され、図７に示す組み立て状態になり、この状態で収容物が出荷される。
【００４１】
包装箱７４の蓋部を開封する時は、第二の側面板１８の押圧部５８を指で押し込んでＵ字状の開封用破断線５６を破断させ、外蓋片５２の本体部５２ａと内蓋片７８を摘んで引き上げるようにして補助破断線６０を破断させる。これで図１０に示す状態になり、さらにサイドフラップ４４，６６を引き上げると筒体の蓋部が開放し、中の収容物を取り出すことができる。蓋部を開封する操作は従来とほぼ同じであるが、特徴的なのは、この開封操作を行うことによって、外蓋片５２から分離した両端角部５２ａが、外蓋折罫線５４の曲げの反発力によって自動的に立ち上がるという点である。
【００４２】
包装箱７４の中に収容物を戻した後、蓋部を再封する時は、引き上げたサイドフラップ４４，６６を倒して元に戻し、引き上げた外蓋片５２の本体部５２ａ及び内蓋片７８を倒して元に戻す。
【００４３】
さらに、本体部５２ａの中央やや押圧部５８寄りの位置を指で押し下げると、サイドフラップ４４，６６が内蓋片７８に押されて下向きに撓み、内蓋片７８の係合部７８(1)，７８(2)がスリット４４ａ，６６ａに各々差し込まれて係合する。係合部７８(1)，７８(2)は、本体部５２ａに糊付されていないので、本体部５２ａが下向きに撓むことによって係合部７８(1)，７８(2)が本体部５２ａから自然に離れ、スリット４４ａ，６６ａの内側にスムーズに差し込むことができる。そして、本体部５２ａを指で押し下げる操作を止めると、内蓋片７８がサイドフラップ４４，６６に重なった状態に保持されて筒状の端部が閉鎖され、図１１（ａ）、（ｂ）に示す再封状態になる。
【００４４】
再封状態では、図１１（ａ）に示すように、外蓋片５２から分離した両端角部５２ｂが立ち上がり、蓋部の上方に突出する。例えば、包装箱７４に入った医薬品が保管棚ＨＤで保管される場合、図１１（ｃ）に示すように立てて並べ置きされると、両端角部５２ｂが開封済み表示となり、どの箱が開封済みなのかを簡単に見分けることができる。
【００４５】
また、図１２（ａ）に示すように、サイドフラップ４４，６６の表面側と外蓋片５２の表面側とを互いに異なる色に彩色したり、文字や記号を表示しておくことにより、開封確認を容易にする。例えば、医薬品が入った包装箱７４が、図１２（ｂ）に示すように横に倒して積み重ねて置かれると、図１２（ｂ）に示すように、外蓋片５２に形成された透孔、すなわち両端角部５２ｂが立ち上がってできた透孔からサイドフラップ４４，６６が見えるので、このサイドフラップ４４，６６の色彩等が開封済み表示となり、どの箱が開封済みなのかを簡単に見分けることができる。
【００４６】
なお、包装箱７４は外蓋片５２の両端角部５２ａが略三角形であるが、包装箱１０と同様の略四角形にしてもよい。ただし、略四角形にすると、蓋部を開封した後、両端角部５２ｂが立ち上がってできた略四角形の透孔から、再封機構（係合部７８(1)，(2)及びスリット４４ａ，６６ａの部分）が露出して見栄えが悪くなる可能性があるので、ここでは略三角形にして再封機構が露出しないようにしている。
【００４７】
以上説明したように、包装箱７４は、再封機構の構造が上記の包装箱１０と異なっているものの、包装箱１０と同様の効果を得ることができる。
【００４８】
なお、本考案の包装箱は、上記実施形態に限定されるものではない。例えば、外蓋片の両端角部の形状は、本考案が目的とする動作が可能であれば、略四角形や略三角形以外の形状にしてもよい。同様に、再封機構は、包装箱１０，７４と異なる構造にしてもよく、必要に応じて再封機構は省略することも可能である。その他、箱体の大きさ、素材、底部の形状等は、用途に応じて適宜変更することができる。
【符号の説明】
【００４９】
１０，７４  包装箱
１２，７６  箱体形成片
１４  第一の側面板
１６，２０  側面板
１８  第二の側面板
３２  内蓋片
３６  差し込み片（再封機構）
５２  外蓋片
５２ａ  本体部
５２ｂ  両端角部
５４  外蓋折罫線
５６  開封用破断線
５８  押圧部
６０  補助破断線
４４，６６  サイドフラップ
４４ａ，６６ａ  スリット（再封機構）
７８  内蓋片
７８ａ(1)，７８(2)  係合部（再封機構）
【図１】
0003217753.tif 000003
【図２】
0003217753.tif 000004
【図３】
0003217753.tif 000005
【図４】
0003217753.tif 000006
【図５】
0003217753.tif 000007
【図６】
0003217753.tif 000008
【図７】
0003217753.tif 000009
【図８】
0003217753.tif 000010
【図９】
0003217753.tif 000011
【図１０】
0003217753.tif 000012
【図１１】
0003217753.tif 000013
【図１２】
0003217753.tif 000014